(57)【要約】【課題】  設置スペースが少なく、耐久性の向上を図ることができる釣り用具等の収納ケースを提供する。【解決手段】  互いに対向しかつ下側の第１の収納ケース部１と、上側の第２の収納ケース部２とにより本体が構成され、第１及び第２の収納ケース部１，２は対向側が開口１ａ，２ａとなっており、各開口を挟んで両周側壁部１ｂ，２ｂの対向端面１ｂ１，２ｂ１に対向位置関係に配置しかつそれぞれが互いに吸着可能である棒状の磁石３，４を取り付けてあり、第１及び第２の収納ケース部１，２内には、周側壁部に亘って着脱可能に設けてあって、釣り用浮きＦ１ａ，Ｆ１ｂ，Ｆ２ａ，Ｆ２ｂを支持する保持体７，８を配置してある。【選択図】        図１
0003170575.tif 000002
【実用新案登録請求の範囲】
【請求項１】
互いに対向しかつ一側に位置している第１の収納ケース部と、他側に位置している第２の収納ケース部とによって本体を構成しており、
上記第１及び第２の収納ケース部は対向側が開口となっており、各開口を囲む周壁部の対向端面に対向位置関係に配置しかつそれぞれが互いに吸着可能である磁性体を取り付けてあり、
上記第１及び第２の収納ケース部内には、着脱手段により着脱可能であって被収納物を支持する保持体を配置してあり、
上記保持体は、上記周壁部のうち幅方向側の両周側壁部に亘って設けてある
ことを特徴とする釣り用具等の収納ケース。
【請求項２】
互いに吸着可能である磁性体は、第１及び第２の収納ケース部のいずれの磁性体も棒状に形成されており、それぞれの頭部が対向端面上に露出されており、幅方向の両周側壁部にその長さ方向に間隔を置いて複数配置されていることを特徴とする請求項１記載の釣り用具等の収納ケース。
【請求項３】
着脱手段は、保持体の両側縁部に形成してあるスライド溝と、両周側壁部の開口縁部内面に設けてあって上記スライド溝内を移動可能に嵌合している案内レールとからなることを特徴とする請求項１又は請求項２記載の釣り用具等の収納ケース。
【請求項４】
着脱手段は、保持体の両側部に取り付けてあるピン状の一方の磁性体と、第１及び第２の収納ケース部の内底面に端部が露出状態に取り付けてあると共に上記各磁性体にそれぞれ吸着可能である他方の磁性体とから構成されており、上記一方の磁性体は保持体の端面から上記第１及び第２の収納ケース部の内底面に向けて突出されておりかつ両突出端部が保持体の脚部を形成していることを特徴とする請求項１又は請求項２記載の釣り用具等の収納ケース。
【請求項５】
保持体は、複数の保持溝を有するもの及び裏面に弾性変形可能である押圧用弾性部材を装着してあるものの中から選択され、上記各保持溝を第１及び第２の収納ケース部の内底面に向けて開口しかつ周側壁部に沿う長溝であることを特徴とする請求項１乃至請求項４のいずれかに記載の釣り用具等の収納ケース。
【請求項６】
被収納物は、釣り用浮き及び釣り糸付きの釣り針の中から選択されるものであることを特徴とする請求項１乃至請求項５のいずれかに記載の釣り用具等の収納ケース。
【考案の詳細な説明】
【技術分野】
【０００１】
この考案は、釣り用具（例えば釣り糸付きの釣り針や釣り用浮き）等を入れておくための収納ケースに関するものである。
【背景技術】
【０００２】
釣り用具、例えば釣り用浮きを入れておくための収納ケースとして、特開２００５−３３３８１１号公報では釣り用浮きケース（以下「従来例」という。）が開示されている。
従来例は、蝶番で見開き状に開閉できる一対のケースを有し、ケース内には凹状の浮き収納部が形成された中敷きが敷設されている。上記ケース内には、下面側に磁石が取り付けられた浮きのカバー体が取り付けられ、中敷きの裏側には金属製の棒材が設けられている。カバー体をケース内に収納して浮きを覆うように取り付けたとき、カバー体の磁石とケース内の鉄等の金属製の棒材が互いに吸着することでカバー体が中敷きの上方に吸着した状態に保持され、浮きの脱落が防止されるものである。
【先行技術文献】
【特許文献】
【０００３】
【特許文献１】特開２００５−３３３８１１号公報
【考案の概要】
【考案が解決しようとする課題】
【０００４】
従来例は、蝶番を中心として一対のケースを頻繁に開閉するために、蝶番が壊れやすく、そして河川や海辺のような釣り場ではケースが濡れやすいので、蝶番のさびによる損傷がし易く、ケースの耐久性に課題があった。また、従来例は、釣り用浮きを取り出す際、ケースを蝶番で見開き状に開放するので、対のケースのそれぞれを全開放することになり、対のケースに相当する設置スペースが必要になり、狭い釣り場にあっては釣り動作の妨げにもなる課題があった。さらに、従来例は釣り用浮きの保持を安定させるために、金属製の棒材（又は中敷）とカバー体の裏面の磁性体との吸着力を利用するものであるが、安定させる保持手段の構造が複雑になる課題があった。
この考案の目的は、設置スペースが少なく、耐久性の向上を図ることができる釣り用具等の収納ケースを提供することにある。
【課題を解決するための手段】
【０００５】
この考案に係る収納ケースの第１の特徴は、互いに対向しかつ一側に位置している第１の収納ケース部と、他側に位置している第２の収納ケース部とによって本体を構成し、上記第１及び第２の収納ケース部が対向側が開口となっており、各開口を囲む周壁部の対向端面に対向位置関係に配置しかつそれぞれが互いに吸着可能である磁性体を取り付け、上記第１及び第２の収納ケース部内には着脱手段により着脱可能であって被収納物を支持する保持体を配置してあり、上記保持体が上記周壁部のうち幅方向側の両周側壁部に亘って設けてあることにある。
この考案に係る収納ケースの第２の特徴は、上記第１の特徴を前提とし、互いに吸着可能である磁性体は、第１及び第２の収納ケース部のいずれの磁性体も棒状に形成されており、それぞれの頭部が対向端面上に露出されており、幅方向の両周側壁部にその長さ方向に間隔を置いて複数配置されていることにある。
この考案に係る収納ケースの第３の特徴は、上記第１又は第２の特徴を前提とし、着脱手段が保持体の両側縁部に形成してあるスライド溝と、両周側壁部の開口縁部内面に設けてあって上記スライド溝内を移動可能に嵌合している案内レールとからなることにある。
この考案に係る収納ケースの第４の特徴は、上記第１又は第２の特徴を前提とし、着脱手段が保持体の両側部に取り付けてあるピン状の一方の磁性体と、第１及び第２の収納ケース部の内底面に端部が露出状態に取り付けてあると共に上記各磁性体にそれぞれ吸着可能である他方の磁性体とから構成されており、上記一方の磁性体は保持体の端面から上記第１及び第２の収納ケース部の内底面に向けて突出されておりかつ両突出端部が保持体の脚部を形成していることにある。
この考案に係る収納ケースの第５の特徴は、上記第１乃至第４のいずれかの特徴を前提とし、保持体は複数の保持溝を有するもの及び裏面に弾性変形可能である押圧用弾性部材を装着してあるものの中から選択され、上記各保持溝を第１及び第２の収納ケース部の内底面に向けて開口しかつ周側壁部に沿う長溝であることにある。
この考案に係る収納ケースの第６の特徴は、上記第１乃至第５のいずれかの特徴を前提とし、被収納物が釣り用浮き及び釣り糸付きの釣り針の中から選択されるものであることにある。
【考案の効果】
【０００６】
この考案に係る収納ケースによれば、一側の第１の収納ケース部と他側の第２の収納ケース部との結合を磁性体による磁気的結合力を利用するので、使用時に必要に応じて一部開放が可能となり、被収納物の取り出しがし易く、そして、常に片開きによる全開放を必要としないので、設置スペースが狭い場合に好都合であり、さらに、寒冷時期での開放時に、回転操作を必要とする片開き方式の従来例と比較して、押し出しによるスライド操作ですむので開放が簡易に行え、また、第１の収納ケース部又は第２の収納ケース部の開閉を繰り返しても、蝶番を使用している従来例と比較して、耐久性の向上を図ることができる。
【図面の簡単な説明】
【０００７】
【図１】この考案に係る収納ケースの第１の実施形態の使用状態を示す平面図であって、開けた状態を示す図である。
【図２】この考案に係る収納ケースの使用状態を示す一部切欠平面図である。
【図３】この考案に係る収納ケースの使用状態を示す一部切欠正面図である。
【図４】図２のＩＶ−ＩＶ線拡大断面図である。
【図５】第１及び第２の収納ケース部並びに保持体との関係を拡大して示す分解図である。
【図６】図２のＶＩ−ＶＩ線拡大端面図である。
【図７】図２のＶＩＩ−ＶＩＩ線拡大断面図である。
【図８】図２の収納ケースを一部開放した状態を示す平面図である。
【図９】この考案に係る収納ケースの第２の実施形態の使用状態を示す一部切欠平面図であって、開けた状態を示す図である。
【図１０】図９に示す収納ケースの拡大横断面図であって、釣り用浮きを省略している図である。
【図１１】図１０の第１及び第２の収納ケース部内に設置している各保持体であって、それらの保持溝の開口側を示す図である。
【図１２】この考案に係る収納ケースの第３の実施形態の使用状態を示す平面図であって、開けた状態を示すと共に、釣り糸付きの釣り針の一部を示す図である。
【図１３】図１２のＸＩＩＩ−ＸＩＩＩ線断面図である。
【図１４】図１２の第１及び第２の収納ケース部並びに各収納ケース部に設置されている保持体を拡大して示す分解図である。
【考案を実施するための形態】
【０００８】
この考案に係る収納ケースの第１の実施形態として、釣り用浮きの収納ケースについて図１〜図８を参照して説明する。
図１〜図３に示す収納ケースＣ１は、その本体が互いに対向しかつ一側（図３下側）に位置している第１の収納ケース部１と、他側（図上側）に位置している第２の収納ケース部２とからなり、両収納ケース部は同一構成である。
【０００９】
図４〜図７において、第１及び第２の収納ケース部１，２は対向側が開口１ａ，２ａとなっている。
図１において、各開口１ａ，２ａを囲む周壁部のうち幅方向（図左右方向）の両周側壁部１ｂ，２ｂには、その長さ方向（図上下方向）に沿って複数の磁性体である磁石３，４を所定間隔を開けて取り付けてある。第１及び第２の収納ケース部１，２の各磁石３，４は、図６に示す例では棒状の永久磁石を用いており、その頭部が周側壁部１ｂ，２ｂの対向端面１ｂ１，２ｂ１上に露出されている。第１の収納ケース部１の各磁石３と、第２の収納ケース部２の各磁石４とは、図１及び図２に示すように両周側壁部１ｂ，２ｂに対向位置関係にかつ互いに吸着可能に配置されている。磁石３，４は、収納ケースＣ１を閉じた状態では、図６に示すように上下の位置でその磁気力によってその頭部が吸着状態にある。このため、第１及び第２の収納ケース部１，２は、周側壁部１ｂ，２ｂを含む周壁部の対向端面が接触した状態で閉じられる。磁石３，４は、その強磁性を確保して、第１及び第２の収納ケース部１，２の結合力を高めるために、例えばネオジム磁石等が使用される。
【００１０】
図１〜図４において、第１及び第２の収納ケース部１，２内は、被収納物である複数の釣り用浮きＦ１ａ，Ｆ１ｂ，Ｆ２ａ，Ｆ２ｂを収納可能な空間を有している。第１の収納ケース部１は、図１に示す例によれば、図上下２か所に６種類の釣り用浮きＦ１ａ，Ｆ１ｂをそれぞれ１セットとする２組、同様に、第２の収納ケース部２にも図上下２か所に６種類の釣り用浮きＦ２ａ，Ｆ２ｂをそれぞれ１セットとする２組、合計４組の釣り用浮きＦ１ａ，Ｆ１ｂ，Ｆ２ａ，Ｆ２ｂを収納可能である。
第１の収納ケース部１内の複数の釣り用浮きＦ１ａ，Ｆ１ｂは、位置決め体５及び保持体７によって、また、第２の収納ケース部２内の複数の釣り用浮きＦ２ａ，Ｆ２ｂは、位置決め体６及び保持体８によって、それぞれ位置決めされると共に、着脱可能に支持されている。
【００１１】
図１〜図３において、第１の収納ケース部１内の長さ方向側の両端部に板状の位置決め体５を装着し、同様に、第２の収納ケース部２内の長さ方向側の両端部（図１上下両端部）にも板状の位置決め体６を装着してある。
位置決め体５，６には釣り用浮きＦ１ａ，Ｆ１ｂ，Ｆ２ａ，Ｆ２ｂの端部が挿入可能な位置決め穴５ａ，６ａを複数開けてあり、各位置決め穴が幅方向に並んで配置されている。
保持体７，８は、図１に示すように、第１及び第２の収納ケース部１，２内の長さ方向に間隔をおいて複数配置されており、図示の例ではそれぞれの収納ケース部内の４箇所にかつ、収納してある釣り用浮きＦ１ａ，Ｆ１ｂ，Ｆ２ａ，Ｆ２ｂを横切るようにして、すなわち、周側壁部１ｂ，２ｂに亘って配置されている。
図４及び図５に示すように、保持体７，８には、第１及び第２の収納ケース部１，２の内底面に向けて開口している保持溝７ａ，８ａを複数幅方向（図４左右方向）に並べて形成してある。図４、図５及び図７に示すように、各保持溝７ａ，８ａは、図７上下方向に長く、断面がほぼ半円形状の長溝であり、各保持体７，８の各保持溝７ａ，８ａ内に貫通状態に差し込まれており、釣り用浮きＦ１ａ，Ｆ１ｂ，Ｆ２ａ，Ｆ２ｂを位置保持している。保持体７，８の両側面は、図４に示すように第１及び第２の収納ケース部１，２の周側壁部１ｂ，２ｂの内側面に接触されており、各内側面に対してスライド可能である。保持体７，８は、第１及び第２の収納ケース部１，２内に差し込まれ、支持されている状態では各端面が両周側壁部１ｂ，２ｂの対向端面１ｂ１，２ｂ１と同一平面を形成している（図４）。
【００１２】
また、保持体７は、着脱手段７ｂ，７ｃを介して第１の収納ケース部１に、また、保持体８は着脱手段８ｂ，８ｃを介して第２の収納ケース部２にいずれも着脱可能である。
図１、図４及び図５に示すように、一方の着脱手段７ｂ，８ｂは保持体７，８の両側縁部に形成してあるスライド溝からなる。他方の着脱手段７ｃ，８ｃは、第１及び第２の収納ケース部１，２の開口端の周側壁部１ｂ，２ｂの内面に固着している案内レールからなる。保持体７，８のスライド溝７ｂ，８ｂ内に案内レール７ｃ，８ｃがスライド可能に嵌め込まれている。
保持体７，８の取付け状態を解除するには、各保持体を図１に示す状態からそれぞれ上方又は下方（図では下方）に鎖線に示す位置までスライド移動させて、スライド溝７ｂ，８ｂと案内レール７ｃ，８ｃとの嵌合状態を解く。反対に、保持体７，８により所定位置で釣り用浮きＦ１ａ，Ｆ１ｂ，Ｆ２ａ，Ｆ２ｂを位置保持するには、図１の鎖線に示す位置の保持体７，８を上方に移動させて、スライド溝７ｂ，８ｂを案内レール７ｃ，８ｃに嵌め込み、実線の位置で止める。
【００１３】
第１及び第２の収納ケース部１，２内の釣り用浮きＦ１ａ，Ｆ１ｂ，Ｆ２ａ，Ｆ２ｂの支持状態について、図１、図３、図４及び図７を参照して説明する。
図１右側に示す第１の収納ケース部１の中央より下側に配置されている６種類の釣り用浮きＦ１ａは、その下端部が位置決め体５の位置決め穴５ａ内にそれぞれ差し込まれた状態で位置決めされ、上端部が保持体７の保持溝７ａ内に差し込まれた状態で位置保持されている（図７参照）。そして、各釣り用浮きＦ１ａの本体中央部は、保持体７の保持溝７ａに嵌め込まれた状態で支持されている（図４参照）。
同様に、図１に示す第１の収納ケース部１の中央より上側に配置されている６種類の釣り用浮きＦ１ｂは、その上端部が位置決め体５の位置決め穴５ａ内にそれぞれ差し込まれた状態で位置決めされ、下端部が保持体７の保持溝７ａによって位置保持されている。そして、各釣り用浮きＦ１ｂの本体中央部は、保持体７の保持溝７ａによって支持されている。
図１左側に示す第２の収納ケース部２内の上下の釣り用浮きＦ２ａ，Ｆ２ｂの保持状態についても、第１の収納ケース部１内の釣り用浮きＦ１ａ，Ｆ１ｂのそれと同様である。すなわち、釣り用浮きＦ２ａ，Ｆ２ｂは一方の端部が位置決め体６の位置決め穴６ａ内にそれぞれ差し込まれた状態で位置決めされ、他方の端部が保持体８の保持溝８ａによって位置保持されている。そして、各釣り用浮きＦ２ａ，Ｆ２ｂの本体中央部は、保持体８の保持溝８ａに嵌め込まれた状態で支持されている。
【００１４】
収納ケースＣ１の使用方法について説明する。
図１に示す第１の収納ケース部１内の下半部分に収納されている釣り用浮きＦ１ａを取り出す場合について説明する。
例えば図２に示すように、第２の収納ケース部２をその下端側を持って矢印方向に横スライドさせる。すると、図８に示すように上下で互いに磁気結合している磁石３，４（図６）同士のうち、特定の磁石（図８では特定の磁石を他の磁石３，４と区別するために符号３１，４１を使用している。）を除くすべての磁石は互いに引き離されて磁石３１，４１だけが結合したままで、これらを中心として第２の収納ケース部２は反時計方向に回転され、この第２の収納ケース部を図８実線の位置で停止すると、第１の収納ケース部１内の中央より下側が開放され、右端に位置している釣り用浮きＦ１ａを除くすべての釣り用浮きの全体が、そして下側の保持体７が開口１ａ上に露出される。
そこで、下側が開放された第１の収納ケース部１内の保持体７を図８下方側に鎖線の位置までスライド移動させると、スライド溝７ｂが案内レール７ｃから外れる。その後、保持体７を第１の収納ケース部１の開口１ａより取り出す。この結果、保持体７による釣り用浮きＦ１ａの本体中央部分の保持が解除されるから、必要とする釣り用浮き、例えば図８の左端に位置する釣り用浮きを上方に移動させ、その下端部を位置決め体５の位置決め穴５ａから抜き出してから、下端部側を開口１ａ側に持ち上げて、第１の収納ケース部１の開口１ａより取り出す。
第１の収納ケース部１の開口１ａ又は第２の収納ケース部２の開口２ａを全部開放させたい場合には、第２の収納ケース部を横スライドしながら、第１の収納ケース部から引き離してから、図１に示すように第１の収納ケース部及び第２の収納ケース部の各開口側を上にして並べる。
もし、釣り場のスペースの関係で、図１に示すように第１の収納ケース部１及び第２の収納ケース部２を並べて設置できない場合には、第１の収納ケース部と第２の収納ケース部のいずれか一方を他方の上に乗せる、二段重ねとする。
【００１５】
この考案に係る収納ケースの第２の実施形態について図９〜図１１を参照して説明する。
図示する収納ケースＣ２は前記収納ケースＣ１とその基本構成が同一であるので、収納ケースＣ１と対応する構成部分を示す符号を収納ケースＣ１の説明に用いた符号をそのまま使用する。
収納ケースＣ２の特徴は、第１及び第２の収納ケース部１１，１２の大きさと、保持体１７，１８の着脱手段の構成にある。
以下、主に上記特徴を説明し、前記収納ケースＣ１と共通する収納ケースＣ２の構成及び作用について必要に応じて説明するが、詳細な説明を省略する。
第１及び第２の収納ケース部１１，１２の大きさに関して、第１及び第２の収納ケース部はいずれも６種類の釣り用浮きＦ１ａ，Ｆ２ａをそれぞれ１セットとする一組ずつを収容できるものである。
また、保持体１７，１８の着脱手段に関して、一方の着脱手段１７ｂ，１８ｂは、保持体の両側部に埋め込んである磁性体（図１０に示す例ではピン状の永久磁石）からなる。他方の着脱手段１７ｃ，１８ｃは、第１及び第２の収納ケース部１１，１２の内底部に埋め込みかつ、頭部が底面に露出している磁性体（図１０に示す例では金属製の磁性部材）からなる。
保持体１７，１８の磁性体１７ｂ，１８ｂは、図１０に示すように、両保持体の対向端面とは反対側である内端面（保持溝１７ａ，１８ａの開口側の端面）から突出され、保持体１７，１８の脚部を構成している。保持体１７，１８の磁性体１７ｂ，１８ｂの突出端部は、第１及び第２の収納ケース部１１，１２の内底部に露出している磁性体１７ｃ，１８ｃに突き合っている状態で接触し、互いに磁気力によって吸着可能である。
保持体１７，１８の取付け状態を解除するには、図９に示す例では、上段及び下段に位置している保持体のうち、釣り用浮きＦ１ａ，Ｆ１ｂの本体を保持している下段側の保持体を図９に示す位置から上方又は下方に磁気力に抗してスライド移動させることにより、磁石同士の結合状態を解く。
また、下段側の保持体１７，１８を持って、磁気力に抗して第１及び第２の収納ケース部１１，１２の開口１ａ，２ａから取り出しても良い。
反対に、外した保持体１７，１８によって再び釣り用浮きＦ１ａ，Ｆ１ｂを支持するには、上記各保持体を第１及び第２の収納ケース部１１，１２内にその幅方向を横断するように嵌め込む。その後、保持体１７，１８を上方又は下方に向けて移動させて、磁性体１７ｂ，１８ｂの突出端部が第１及び第２の収納ケース部１１，１２の内底部の磁性体１７ｃ，１８ｃに対向した時点で、移動を停止すれば、互いに磁気力によって吸着するから、各保持体の位置が固定され、釣り用浮きＦ１ａ，Ｆ１ｂが支持される。
【００１６】
図示する収納ケースＣ２によれば、保持体１７，１８の着脱手段を、互いに磁気力を介して吸着可能である保持体側の磁性体１７ｂ，１８ｂと、第１及び第２の収納ケース部１１，１２側の磁性体１７ｃ，１８ｃによって構成し、磁性体１７ｂ，１８ｂは内端面から突出して、その突出端部が脚部を形成しているので、保持体のスライド移動が円滑に行え、そして保持体の両側面と、第１及び第２の収納ケース部１１，１２の内側面との間に設計上隙間があっても磁気的結合に与える影響は少なく、保持体の位置保持及び釣り用浮きＦ１ａ，Ｆ１ｂ，Ｆ２ａ，Ｆ２ｂの支持を確実なものとすることができる。
【００１７】
この考案に係る収納ケースの第３の実施形態について図１２〜図１４を参照して説明する。
図示する収納ケースＣ３は前記収納ケースＣ１とその基本構成が同一であるので、収納ケースＣ１と対応する構成部分を示す符号を収納ケースＣ１の説明に用いた符号をそのまま使用する。
収納ケースＣ３の特徴は、被収納物が釣り糸付きの釣り針Ｈ１ａ，Ｈ２ａであり、そして、保持体２７，２８の構成にある。
以下、主に上記特徴を説明し、前記収納ケースＣ１と共通する収納ケースＣ３の構成及び作用については必要に応じて説明し、詳細な説明を省略する。
第１及び第２の収納ケース部２１，２２内には、図１２上側に間隔を置いて釣り針Ｈ１ａ，Ｈ２ａを掛け止めるための掛け止め棒９，１０をそれぞれ幅方向に渡してある。
第１の収納ケース部２１内では、２本の掛け止め棒９に種類の異なる２組の釣り針Ｈ１ａ，Ｈ１ｂを掛け止め、釣り糸を下方に伸ばしている。同様に、第２の収納ケース部２２内においても、２本の掛け止め棒１０に種類の異なる２組の釣り針Ｈ２ａ，Ｈ２ｂを掛け止め、釣り糸を下方に伸ばしている。
保持体２７，２８の構成に関して説明する。
保持体２７，２８は、図１４に示すように溝形に形成されており、その開口が第１及び第２の収納ケース部２１，２２内に向けられている。保持体２７，２８は、裏面に押圧用弾性部材２７ａ，２８ａを固着してある。押圧用弾性部材２７ａは、収納されている釣り針Ｈ１ａ，Ｈ１ｂを第１の収納ケース部２１の内底面側に押圧しており、また、押圧用弾性部材２８ａは、収納されている釣り針Ｈ２ａ，Ｈ２ｂを第２の収納ケース部２２の内底面側に押圧しており、これらの押圧用弾性部材２７ａ，２８ａの押圧を通じて釣り針Ｈ１ａ，Ｈ２ａの確実な保持を可能にしている。
釣り針Ｈ１ａ，Ｈ２ａに接続してある釣り糸は、それぞれ複数の保持体２７，２８の押圧用弾性部材２７ａ，２８ａの押圧力によって安定した状態で支持されている。
【００１８】
図示する収納ケースＣ１，Ｃ２，Ｃ３によれば、第１の収納ケース部１，１１，２１と第２の収納ケース部２，１２，２２とは、磁石３，４の磁気的結合力を使用するので、使用時に第１の収納ケース部及び第２の収納ケース部のいずれか一方をスライド移動させるだけで開放することができ、必要に応じて一部開放が可能であるので、被収納物の取り出しがし易く、設置スペースが狭い場合にも好都合である。また、寒冷時期での開放時に、回転操作を必要とする片開き方式の従来例と比較して、押し出し操作ですむので開放が簡易に行える。第１の収納ケース部１，１１，２１と第２の収納ケース部２，１２，２２と開閉を繰り返しても、蝶番を使用している従来例と比較して、耐久性の向上を図ることができる。
【００１９】
被収納物の範囲は、上述した釣り用浮きＦ１ａ，Ｆ１ｂ，Ｆ２ａ，Ｆ２ｂや釣り針Ｈ１ａ，Ｈ２ａ等の釣り用具に限定されず、文房具、箸その他の食器類等であっても良い。
吸着する磁性体は図示するように、双方ともに磁石３，４としても良いが、一方を磁石部材として他方を鉄等の磁性部材であっても良い。収納ケースＣ２における着脱手段についても、一方の磁性体１７ｂ，１８ｂと他方の磁性体１７ｃ，１８ｃの双方が磁石であっても良い。
【符号の説明】
【００２０】
Ｃ１，Ｃ２                    釣り用浮きの収納ケース（収納ケース）
Ｃ３                          釣り針の収納ケース（収納ケース）
Ｆ１ａ，Ｆ１ｂ                釣り用浮き（釣り用具）
Ｆ２ａ，Ｆ２ｂ                釣り用浮き（釣り用具）
Ｈ１ａ，Ｈ２ａ                釣り針（釣り用具）
１，１１，２１                第１の収納ケース部
２，１２，２２                第２の収納ケース部
１ａ，２ａ                    開口
１ｂ，２ｂ                    周側壁部
１ｂ１，２ｂ１                対向端面
３，３１，４，４１            磁石（磁性体）
５，６                        位置決め体
７，８，１７，１８            保持体
７ａ，８ａ，１７ａ，１８ａ    保持溝
７ｂ，８ｂ                    スライド溝（着脱手段）
１７ｂ，１８ｂ                磁性体（着脱手段）
７ｃ，８ｃ                    案内レール（着脱手段）
１７ｃ，１８ｃ                磁性体（着脱手段）
９，１０                      掛け止め棒
２７，２８                    保持体
２７ａ，２８ａ                押圧用弾性部材
【図１】
0003170575.tif 000003
【図２】
0003170575.tif 000004
【図３】
0003170575.tif 000005
【図４】
0003170575.tif 000006
【図５】
0003170575.tif 000007
【図６】
0003170575.tif 000008
【図７】
0003170575.tif 000009
【図８】
0003170575.tif 000010
【図９】
0003170575.tif 000011
【図１０】
0003170575.tif 000012
【図１１】
0003170575.tif 000013
【図１２】
0003170575.tif 000014
【図１３】
0003170575.tif 000015
【図１４】
0003170575.tif 000016